(57)【要約】【課題】窓の横幅が小さい構成においても使用することができるとともに障子の開き角を比較的大きくすることができる窓開閉装置を提供する。【解決手段】窓枠３に取り付けられた障子４を室外側へ開くことができる窓を開閉する窓開閉装置２であって、窓枠３の枠体５に取り付けられた基体１０と、基体１０により室内外方向にスライド可能に支持されて室内外方向に延びる操作部材２０と、障子４の框体６に取り付けられた被操作部材と、操作部材２０及び被操作部材を連結する連結部材とを備え、障子４を閉じた状態で室内側へ突出する操作部材２０を、基体１０よりも室内側に位置する水平軸２４まわりに上側へ折り畳み可能、かつ、基体１０内に位置する垂直軸まわりに回動可能とした。障子４を閉じた状態で操作部材２０を折り畳んで窓枠３の枠体５に添う方向まで回動させて収納状態とすることができる。【選択図】図２
2008150780.tif 000002
【特許請求の範囲】
【請求項１】
窓枠に取り付けられた障子を室外側へ開くことができる窓を開閉する窓開閉装置であって、
前記窓枠の枠体に取り付けられた基体と、
該基体により室内外方向にスライド可能に支持されて室内外方向に延び、前記障子を開閉する操作部材とを備え、
該操作部材は、前記障子を閉じた状態で、その長さを短縮可能としたものであるとともに、窓枠に添うように回動可能としたものである窓開閉装置。
【請求項２】
前記障子を閉じた状態で室内側へ突出する前記操作部材を、前記基体よりも室内側に位置する水平軸まわりに上側へ折り畳み可能、かつ、前記基体内に位置する垂直軸まわりに回動可能としてなる請求項１記載の窓開閉装置。
【請求項３】
前記操作部材の上面から上側に突出するように形成された、前記水平軸の軸受部を受け入れる受入溝を前記基体に形成してなる請求項２記載の窓開閉装置。
【請求項４】
前記基体を前記窓枠の枠体の室内側面に取り付け、該枠体の挿通孔を通って前記操作部材が室内外方向へ延びるものである請求項１〜３の何れかに記載の窓開閉装置。
【請求項５】
前記障子の框体に取り付けられた被操作部材と、
前記操作部材及び被操作部材を連結する連結部材とを備え、
該連結部材に、前記被操作部材との連結を解除する解除手段を備えさせてなる請求項１〜４の何れかに記載の窓開閉装置。
【発明の詳細な説明】
【技術分野】
【０００１】
本発明は、窓枠に取り付けられた障子を室外側へ開くことができる窓開閉装置に関するものである。
【背景技術】
【０００２】
突出し窓、片開き窓、横すべり出し窓又は縦すべり出し窓等のように、窓枠内に組み込まれた障子を室外側へ開くことができる窓に用いられる窓開閉装置として、室内側に設けた把持部（操作ハンドル、オペレータハンドル）を回転させることにより、該把持部に連結された操作軸、該操作軸に固定されたウォーム、該ウォームに噛み合うウォームホイール及び該ウォームホイールと一体に回転する回転アームを介して、該回転アームに連結された障子を開閉するもの（例えば、特許文献１参照。）、窓枠（障子取付枠）を貫通して一端が障子に連結された可撓性のある操作杆を室外方向へ押圧することにより障子を開けることができ、操作杆を室内方向へ引くことにより障子を閉じることができ、障子を閉じた状態では、操作杆を窓枠に添わせるように垂下させるもの（例えば、特許文献２参照。）がある。
【０００３】
【特許文献１】特開平１１−２２３０６７号公報（図１−３）
【特許文献２】実開昭６０−１１５３７２号公報（第１−２図、第４−５図）
【発明の開示】
【発明が解決しようとする課題】
【０００４】
以上のような従来の窓開閉装置において、特許文献１の構成は、障子を開く角度を大きくすることができるという特徴があるが、回転アームの回動により障子を操作する構成であるため、例えば窓の横幅が小さい構成においては、回転アームと障子との取付部等が窓枠に干渉して窓開閉装置を構成することができない場合がある。
【０００５】
特許文献２の構成は、操作杆を室内外方向へ操作して窓枠内に組み込まれた障子開閉する構成であるため、窓の横幅が小さい構成においても使用することができるが、操作杆を長くすると窓を閉じた際に邪魔になるため、長い操作杆を用いることができない。したがって、操作杆の室内外方向のストロークを大きくすることができないため、障子の開き角が小さくなる。また、障子へ操作杆を固定する固定片を取り外さないと障子を全開にすることができないものである。よって、すべり出し窓に用いた場合においては、室内側から障子両面の掃除ができること等のすべり出し窓の特徴を活かすことができない。さらに、障子を閉じた状態では、操作杆全体がその長さのままで窓枠に添って垂下するため、美観が損なわれる。
【０００６】
そこで本発明が前述の状況に鑑み、解決しようとするところは、窓の横幅が小さい構成においても使用することができるとともに障子の開き角を比較的大きくすることができ、また、すべり出し窓の障子の両面の掃除を室内側から行うことができ、さらに、窓開閉装置と枠体及び框体との一体感があり美観が損なわれることがない、窓開閉装置を提供する点にある。
【課題を解決するための手段】
【０００７】
本発明に係る窓開閉装置は、窓枠に取り付けられた障子を室外側へ開くことができる窓を開閉する窓開閉装置であって、前記窓枠の枠体に取り付けられた基体と、該基体により室内外方向にスライド可能に支持されて室内外方向に延び、前記障子を開閉する操作部材とを備え、該操作部材は、前記障子を閉じた状態で、その長さを短縮可能としたものであるとともに、窓枠に添うように回動可能としたものである。
【０００８】
ここで、前記障子を閉じた状態で室内側へ突出する前記操作部材を、前記基体よりも室内側に位置する水平軸まわりに上側へ折り畳み可能、かつ、前記基体内に位置する垂直軸まわりに回動可能としてなると好ましい。
【０００９】
また、前記操作部材の上面から上側に突出するように形成された、前記水平軸の軸受部を受け入れる受入溝を前記基体に形成してなると好ましい。
【００１０】
さらに、前記基体を前記窓枠の枠体の室内側面に取り付け、該枠体の挿通孔を通って前記操作部材が室内外方向へ延びるものであると好ましい。
【００１１】
さらにまた、前記障子の框体に取り付けられた被操作部材と、前記操作部材及び被操作部材を連結する連結部材とを備え、該連結部材に、前記被操作部材との連結を解除する解除手段を備えさせてなると好ましい。
【発明の効果】
【００１２】
本発明に係る窓開閉装置によれば、窓枠に取り付けられた障子を室外側へ開くことができる窓を開閉する窓開閉装置であって、前記窓枠の枠体に取り付けられた基体と、該基体により室内外方向にスライド可能に支持されて室内外方向に延び、前記障子を開閉する操作部材とを備え、該操作部材は、前記障子を閉じた状態で、その長さを短縮可能としたものであるとともに、窓枠に添うように回動可能としたので、操作部材の室内外方向への直動により障子の開閉を行うため、窓の横幅が小さい構成においても使用することができる。また、障子を閉じた状態で操作部材を短縮し回動させて収納することができることから、操作部材の室内外方向への直動ストロークを比較的大きくすることができるため、障子の開き角を比較的大きくすることができる。
【００１３】
また、前記障子を閉じた状態で室内側へ突出する前記操作部材を、前記基体よりも室内側に位置する水平軸まわりに上側へ折り畳み可能、かつ、前記基体内に位置する垂直軸まわりに回動可能としてなると、前記効果に加え、前記操作部材の長さの短縮及び回動を簡素な構成により安定かつ確実に行うことができる。
【００１４】
さらに、前記操作部材の上面から上側に突出するように形成された、前記水平軸の軸受部を受け入れる受入溝を前記基体に形成してなると、前記効果に加え、操作部材を基体に対してより安定かつ確実にスライド動作させることができる。
【００１５】
さらにまた、前記基体を前記窓枠の枠体の室内側面に取り付け、該枠体の挿通孔を通って前記操作部材が室内外方向へ延びるものであると、前記効果に加え、基体が窓枠の枠体の室内側面に取り付けられ、該枠体の挿通孔を通して操作部材が室内外方向へ直動し、障子の框体の室内側面に連結された操作部材を操作して障子の開閉を行うため、基体及び操作部材等の窓開閉装置の構成部品が枠体及び框体から突出（例えば下枠及び下框から上側に突出）することがないとともに、障子を閉じた状態で操作部材を折り畳んでコンパクトに収納することができる。したがって、障子を開いた状態及び閉じた状態のいずれにおいても、窓開閉装置が枠体及び框体に対して不必要に目立って違和感を与えることがなく、窓開閉装置と枠体及び框体との一体感があるため、看者にすっきりとした印象を与えることができる。よって、窓開閉装置により美観が損なわれることがない。
【００１６】
また、前記障子の框体に取り付けられた被操作部材と、前記操作部材及び被操作部材を連結する連結部材とを備え、該連結部材に、前記被操作部材との連結を解除する解除手段を備えさせてなると、前記効果に加え、解除手段により被操作部材を連結部材から外すことにより障子を全開にすることができるため、すべり出し窓に用いた場合に、障子の両面の掃除を室内側から行うことができるというすべり出し窓の特徴を活かすことができる。
【発明を実施するための最良の形態】
【００１７】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、室内側から室外側へ向かう方向の前側を前、後側を後とし、前方に向かって左右を左右とする。また、窓開閉装置については、左方から見た図を正面図とする。
【００１８】
図１及び図２は、本発明の実施の形態に係る開閉窓の説明図であり、図１は障子を開いた状態を示す要部拡大斜視図、図２は障子を閉じた状態を示す要部拡大斜視図である。また、図３〜図８は本発明の実施の形態に係る窓開閉装置の構成を示す説明図であり、図３は縦断正面図、図４（ａ）は連結部材により操作部材及び被操作部材を連結した状態を示す平面図、図４（ｂ）は解除手段により被操作部材との連結を解除した状態の要部を示す平面図、図５及び図６は分解斜視図、図７は連結部材による被操作部材の連結構造を示す斜視図、図８は障子を閉じた状態における窓開閉装置を示す斜視図であり、図８（ａ）は室内側操作部材を折り畳んだ状態を、図８（ｂ）は操作部材を窓枠の枠体に添う方向まで回動させた状態を示している。
【００１９】
開閉窓１は、窓枠３に取り付けられた障子４を窓開閉装置２により室外側へ開くことができるものであり、図１及び図２は片開き窓又は縦すべり出し窓を示している。ここで、図１及び図２が片開き窓の場合は左枠と左框との間に取り付けられる図示しないヒンジにより、図１及び図２が縦すべり出し窓の場合は上枠と上框との間及び下枠と下框との間に取り付けられる図示しない上下のステーにより、障子４の框体６が窓枠３の枠体５により支持され、窓枠３内に組み込まれた障子４を前側（室外側）へ開くことができるように構成される。
【００２０】
また、図１に示すように、窓開閉装置２は、枠体５の下枠７の後面（室内側面）７Ａに取り付けられた基体１０、基体１０により前後方向（室内外方向）にスライド可能に支持され、下枠７に設けた図示しない挿通孔を通って前後方向に延びる操作部材２０、框体６の下框８の後面（室内側面）８Ａに取り付けられた被操作部材４０、並びに、操作部材２０及び被操作部材４０を連結する連結部材３０からなる。そして、図２に示すように、障子４を閉じた状態では、操作部材２０を折り畳むとともに窓枠３の枠体５に添う方向まで回動させてコンパクトに収納することができる（以下において、「収納状態」という。）。また、操作部材２０の前後方向への直動により障子４の開閉を行うため、窓の横幅が小さい構成においても使用することができる。
【００２１】
次に、窓開閉装置２の構造について詳細に説明する。図５に示すように、基体１０は、本体１１、ガイド体１２、補強板１３及び板ばね１４等からなり、本体１１には操作部材２０が挿通されるガイド孔１５が前後方向に形成されている。また、本体１１内の底面にはガイド体１２が図示しないピン等により位置決め固定され、本体１１の外側の底面及び前面に添わせた補強板１３が通孔１３ａに挿通される図示しない取付ねじ又はピン等により取り付けられる。そして、本体１１は、その前方へ突出する係合凸部１１Ａを下枠７（図１参照。）に形成された図示しない係合孔に係合させることにより位置決めされ、左右の通孔１７，１７、補強板１３の左右の通孔１３ｂ，１３ｂに挿通される図示しない取付ねじにより下枠７の後面７Ａに取り付けられる。なお、右側の取付ねじを隠すためのカバー１８が係止片１８Ａ，１８Ａにより本体１１に取り付けられるため、前記収納状態（図２参照。）において、これら取付ねじが目視されないことから、看者にすっきりとした印象を与えることができる。
【００２２】
図３及び図５に示すように、本体１１のガイド孔１５の前端上部の左右方向中央部にはガイド片１１Ｂが下方に突出しており、図３〜図５に示すように、本体１１のガイド孔１５の上部の左右方向中央部には板ばね１４が通孔１４ａに挿通されるピン１９により取り付けられ、板ばね１４の後端部には下方へ突出する略半球状の凸部１４Ａが設けられる。また、図５に示すようにガイド体１２の上面には、後述するピン２７をガイドするガイド溝１２Ａ、及び、後述する室内側操作部材２１の係止片２１Ｃ，２１Ｃが係止される左右の係止溝１２Ｂ，１２Ｂが形成される。
【００２３】
図３〜図６に示すように、操作部材２０は、室内側操作部材２１及び室外側操作部材２２等からなり、図４及び図５に示すように、室内側操作部材２１の左右の軸受部２１Ｅの通孔２１ａ及び室外側操作部材２２の左右の軸受部２２Ｄの通孔２２ａに各々挿通される、水平軸である左右のスプリングピン２４，２４により、室内側操作部材２１と室外側操作部材２２とが連結される。軸受部２２Ｄ，２２Ｄ及び軸受部２２Ｅ，２２Ｅは、後述するように室内側操作部材２１と室外側操作部材２２とを折り畳み可能に連結するために上側に突出しており、これら軸受部２２Ｄ，２２Ｄ，２２Ｅ，２２Ｅは、前記ガイド孔１５の前端上部の前記ガイド片１１Ｂ左右の受入溝内に受け入れられ、基体１１によりガイドされる。
【００２４】
また、図６に示すように、裏板２３の通孔２３ｃに下側から段付きピン２７を挿通して軸端をかしめることにより段付きピン２７は裏板２３に固定され、該段付きピン２７は裏板２３から下側へ突出した状態となる（図３参照。）。さらに、室外側操作部材２２の前側下面に裏板２３を添わせた状態で、リベット２６を上側から通孔２２ｂ，２３ｂに挿通して軸端をかしめることにより、裏板２３が室外側操作部材２２に固定される。
【００２５】
室内側操作部材２１の後端部の摘み２１Ａを持って、基体１０に対して操作部材２０を最も前方に押し出した状態（図１、図３及び図４（ａ）の状態）では、室内側操作部材２１の当止片２１Ｂが本体１１の後面に当止されるとともに、前記板ばね１４により下方へ弾性付勢された室内側操作部材２１の係止片２１Ｃ，２１Ｃが係止溝１２Ｂ，１２Ｂに係止され、この状態では操作部材２０が前後方向に移動できないため、障子４を開けた状態が保持される。また、摘み２１Ａを前記板ばね１４の弾性付勢力に抗して持ち上げて、係止片２１Ｃ，２１Ｃの係止溝１２Ｂ，１２Ｂへの係止を解除した状態で摘み２１Ａを後方に引くことにより、障子４を閉じることができる。
【００２６】
図３〜図６に示すように、室外側操作部材２２の上面には凹溝２２Ｃが、室内側操作部材２１の上面には傾斜溝２１Ｄが形成されているとともに、前記のように室外側操作部材２２の下側には段付きピン２７が突出している。したがって、操作部材２０が操作されて基体１０に対して前後方向へスライドする際には、前記ガイド孔１５に操作部材２０がガイドされるとともに、これら凹溝２２Ｃ、傾斜溝２１Ｄが前記ガイド片１１Ｂ（図３及び図５参照。）にガイドされ、前記のとおり軸受部２２Ｄ，２２Ｄ及び軸受部２２Ｅ，２２Ｅが、前記ガイド孔１５の前端上部の前記ガイド片１１Ｂ左右の受入溝内に受け入れられて、基体１１によりガイドされ、さらに、段付きピン２７がガイド溝１２Ａ（図５参照。）にガイドされるため、該スライド動作を安定かつ確実に行うことができる。
【００２７】
このように、基体１０の本体１１内に操作部材２０のガイド部材を設ける構成によれば、前後方向へのスライドストロークが長い場合であっても容易に対応することができる。その上、操作部材２０は板ばね１４により下側のガイド体１２の方向へ付勢され、ガタツキがなくなるため、操作性を向上することができる。その上さらに、摘み２１Ａを持って操作部材２０を前方へ押し出して障子４を開ける際には、室内側操作部材２１下面の係止片２１Ｃ，２１Ｃの前側の傾斜面が本体１１に当接しながら操作部材２０が上方へ移動するとともに、室内側操作部材２１上面の傾斜溝２１Ｄが後方が高くなるように傾斜しているため、板ばね１４の下方への弾性付勢力が漸増する。したがって、操作感に変化をもたせることができるため機能性が高められる。
【００２８】
前記のとおり、室内側操作部材２１と室外側操作部材２２とは水平軸であるスプリングピン２４，２４を介して連結されているため、該水平軸まわりに室内側操作部材２１を上側に回動させて室外側操作部材２２の上側に折り畳むことができる（図８（ａ）参照。）。また、図５に示すように、室内側操作部材２１の前端部には、その左右にばねを収容して保持する穴部であるばね収容部２１ｂ，２１ｂが形成されており、これらばね収容部２１ｂ，２１ｂ内には圧縮コイルばね２９Ａ，２９Ａが挿入され、該ばねの端末部には鋼球２９Ｂ，２９Ｂが装着される。そして、これら鋼球２９Ｂ，２９Ｂは室外側操作部材２２の左右の軸受部２２Ｄ，２２Ｄに向かって圧縮コイルばね２９Ａ，２９Ａにより弾性付勢される。
【００２９】
図５及び図６に示すように、室外側操作部材２２の軸受部２２Ｄ，２２Ｄには、その前後に係合凹部２２Ａ，２２Ｂが形成されており、前記鋼球２９Ｂ，２９Ｂは、室内側操作部材２１を折り畳んだ状態（図８（ａ）参照。）で、前側の係合凹部２２Ａに係合し、室内側操作部材２１を後方へ延ばした状態（図７参照。）で、後側の係合凹部２２Ｂに係合する。したがって、室内側操作部材２１の折り畳み操作時又は折り畳み解除操作時における所定位置でクリック感が得られる等、操作感に変化をもたせることができるため機能性が高められる。
【００３０】
図３、図４、図６及び図７に示すように、連結部材３０は、第１連結アーム３１、第２連結アーム３２及びストッパ３３等からなる。段付きリベット３４を上側から第２連結アーム３２の通孔３２ａ、第１連結アーム３１の通孔３１ｂに挿通して軸端をかしめることにより、第２連結アーム３２は第１連結アーム３１により垂直軸であるリベット３４まわりに回動可能に支持される。また、段付きリベット３５を上側からストッパ３３の通孔３３ａ、第２連結アームの通孔３２ｂに挿通して軸端をかしめることにより、ストッパ３３は第２連結アームにより垂直軸であるリベット３５まわりに回動可能に支持される。
【００３１】
なお、図３に示すように、段付きリベット３４の頭部と第２連結アーム３２の上面との間には隙間が設けられ、該隙間にはばね座金３４Ａが介挿されているため、第２連結アーム３２は第１連結アームに圧接される。図４（ａ）及び図６に示すように、第１連結アーム３１の前面右側には段部３６が、第２連結アーム３２の後面右側には段部３７が形成されており、これらにより、図４（ａ）及び図７に示すように、後述する被操作部材４０が係合する長穴３８が形成される。
【００３２】
そして、垂直軸である段付きリベット２５を上側から室外側操作部材２２の通孔２２ｃ、裏板２３の通孔２３ａ、第１連結アーム３１の通孔３１ａに挿通して軸端をかしめることにより、第１連結アーム３１は室外側操作部材２２により該垂直軸まわりに回動可能に支持される。
【００３３】
図６及び図７に示すように、被操作部材４０は、ブラケット４１及び段付きリベット４２からなり、段付きリベット４２を上側からブラケット４１の通孔４１ａに挿通して軸端をかしめることにより段付きリベット４２はブラケット４１に固定される。そして、被操作部材４０は、左右の通孔４１ｂ，４１ｂに挿通される図示しない取付ねじにより下框８の後面８Ａ（図１参照。）に取り付けられる。よって、リベット４２の頭部とブラケット４１の上面との間の連結ピン４２Ａが連結部材３０の長孔３８（図４（ａ）及び図７参照。）内に位置する状態では、連結部材３０により、操作部材２０と被操作部材４０とが連結されており、操作部材２０を前後方向に操作する操作力が障子４に伝達されるため、該操作力により障子４を開閉することができる。
【００３４】
第２連結アーム３２の上面には係合凹部３２Ａ，３２Ｂが形成されており、ストッパ３３の下面には該係合凹部に係合可能なように下方へ突出する係合凸部３３Ａが形成されているため、係合凸部３３Ａが係合凹部３２Ａに係合した状態では、第２連結アーム３２が第１連結アーム３１に対して回動できない状態が保持される。把持部３３Ｂを持って前記係合凸部３３Ａと係合凹部３２Ａとの係合を解除し、ストッパ３３を第２アーム３２に対して回動させて係合凸部３３Ａを係合凹部３２Ｂに係合させた状態（図４（ｂ）の矢印Ａ参照。）では、第１連結アーム３１に対して第２連結アーム３２を垂直軸であるリベット３４まわりに回動させることができるため、例えばストッパ３３の把持部３３Ｂを持って第２連結アーム３２を回動させれば（図４（ｂ）の矢印Ｂ参照。）、連結部材３０の長孔３８から被操作部材４０の連結ピン４２Ａを外して、操作部材２０と被操作部材４０との連結を解除することができる。
【００３５】
連結部材３０を、上記のような第１連結アーム３１、第２連結アーム３２及びストッパ３３により構成することにより、該連結部材３０に、被操作部材４０との連結を容易に解除できる解除手段を備えさせることができる。該解除手段により被操作部材４０を連結部材３０から外すことにより障子４を全開にすることができるため、開閉窓１がすべり出し窓である場合に、障子４の両面の掃除を室内側から行うことができるというすべり出し窓の特徴を活かすことができる。
【００３６】
図１、図２及び図８により、窓開閉装置２を前記収納状態とするための操作について説明する。図１の開閉窓１のように障子４を開いた状態から、前記のとおり摘み２１Ａを持ち上げて後方に引くことにより障子４を閉じることができ、障子４を閉じた状態では、窓開閉装置２の操作部材２０は後側（室内側）へ突出している。そして、この状態では、水平軸（スプリングピン２４，２４）は、基体１０（本体１１）よりも後側に位置している。前記のとおり、室内側操作部材２１は水平軸（スプリングピン２４，２４）まわりに容易に上側に折り畳むことができるため、該折り畳み操作を行えば図８（ａ）に示す状態となる。
【００３７】
また、障子４を閉じた状態では、垂直軸である段付きリベット２５（図３、図４（ａ）及び図７参照。）が基体１０（本体１１）内に位置しているとともに、本体１１には後側から左側に渡る開口（切欠）１６が形成されているため、図８（ａ）の折り畳み状態の操作部材２０を図中矢印の方向に回動させることができる。したがって、操作部材２０を窓枠３の枠体５（下枠７）に添う方向まで回動させると、図２及び図８（ａ）の収納状態となる。この状態では、室外側操作部材２２の段付きリベット２５の近傍にある凸片２８の上面に形成された凹部２８Ａ（例えば、図７参照。）に、板ばね１４の凸部１４Ａ（例えば、図３参照。図８（ｂ）では本体１１の凸部１１Ｃの略下側にある。）が係合するため、この収納状態が保持されるとともに、該収納状態における操作部材２０の位置でクリック感が得られ、操作感に変化をもたせることができるため機能性が高められる。
【００３８】
以上のような構成によれば、障子４を閉じた状態で操作部材２０を折り畳んで収納することができることから、操作部材２０の長さを長くしても障子４を閉じた状態で邪魔になることがない。したがって、操作部材２０の長さを長くして前後方向への直動ストロークを比較的大きくすることができるため、障子４の開き角を比較的大きくすることができる。例えば、横幅の小さい窓に用いた場合において、操作部材の直動により障子を開閉する従来の構成と比較すると、約２倍程度の直動ストロークを確保することができる。
【００３９】
また、窓開閉装置２の基体１０が窓枠３の枠体５の室内側面７Ａに取り付けられ、該枠体５の挿通孔を通して操作部材２０が前後方向へ直動し、障子４の框体６の室内側面８Ａに取り付けられた被操作部材４０に連結部材３０により連結された操作部材２０を操作して障子４の開閉を行うため、基体１０、操作部材２０、連結部材３０及び被操作部材４０が枠体５及び框体６から突出（下枠７及び下框８から上側に突出）することがないとともに、障子４を閉じた状態で操作部材２０を折り畳んでコンパクトに収納することができる。したがって、障子４を開いた状態及び閉じた状態のいずれにおいても、窓開閉装置２が枠体５及び框体６に対して不必要に目立って違和感を与えることがなく、窓開閉装置２と枠体５及び框体６との一体感があるため、看者にすっきりとした印象を与えることができる。よって、窓開閉装置２により美観が損なわれることがない。
【００４０】
以上の説明においては、窓枠３に取り付けられた障子４を室外側へ開くことができる開閉窓１が片開き窓又は縦すべり出し窓である場合について説明したが、開閉窓１は突き出し窓や横すべり出し窓等であってもよい。また、窓開閉装置２の基体１０を下枠７に取り付ける構成について説明したが、開閉窓１の構成によっては、基体１０を上枠又は横枠に取り付けてもよい。
【００４１】
また、以上の説明においては、基体１０を窓枠３の枠体５の下枠７の室内側面７Ａに取り付け、操作部材２０が下枠７の挿通孔を通って室内外方向へ延びるものであり、障子４を閉じた状態で室内側へ突出する操作部材２０を、基体１０よりも室内側に位置する水平軸（スプリングピン２４，２４）まわりに上側へ折り畳み可能、かつ、基体１０内に位置する垂直軸（段付きリベット２５）まわりに回動可能としてなる構成について説明したが、基体１０の取付箇所等に応じて、操作部材を垂直軸まわりに折り畳み可能に構成してもよいし、垂直軸まわりに回転可能に構成してもよい。すなわち、操作部材は、障子４を閉じた状態で、その長さを短縮可能としたものであればよく、短縮した状態で窓枠３に添うように回動可能としたものでればよい。なお、本実施の形態のように、基体１０よりも室内側に位置する水平軸まわりに上側へ折り畳み可能、かつ、基体１０内に位置する垂直軸まわりに回動可能としてなる構成を採用すれば、前記操作部材の長さの短縮及び回動を簡素な構成により安定かつ確実に行うことができる。
【図面の簡単な説明】
【００４２】
【図１】本発明の実施の形態に係る開閉窓の障子を開いた状態を示す要部拡大斜視図である。
【図２】同じく障子を閉じた状態を示す要部拡大斜視図である。
【図３】本発明の実施の形態に係る窓開閉装置の構成を示す縦断正面図である。
【図４】同じく平面図であり、（ａ）は連結部材により操作部材及び被操作部材を連結した状態を、（ｂ）は解除手段により被操作部材との連結を解除した状態を示している。
【図５】同じく分解斜視図である。
【図６】同じく分解斜視図である。
【図７】連結部材による被操作部材の連結構造を示す斜視図である。
【図８】障子を閉じた状態における窓開閉装置を示す斜視図であり、（ａ）は室内側操作部材を折り畳んだ状態を、（ｂ）は操作部材を窓枠の枠体に添う方向まで回動させた状態を示している。
【符号の説明】
【００４３】
１  開閉窓
２  窓開閉装置
３  窓枠
４  障子
５  枠体
６  框体
７  下枠
７Ａ  室内側面
８  下框
８Ａ  室内側面
１０  基体
１１  本体
１１Ａ  係合凸部
１１Ｂ  ガイド片
１１Ｃ  凸部
１２  ガイド体
１２Ａ  ガイド溝
１２Ｂ  係止溝
１３  補強板
１４  板ばね
１４Ａ  凸部
１５  ガイド孔
１６  開口
１７  通孔
１８  カバー
１８Ａ  係止片
１９  ピン
２０  操作部材
２１  室内側操作部材
２１Ａ  摘み
２１Ｂ  当止片
２１Ｃ  係止片
２１Ｄ  傾斜溝
２１Ｅ  軸受部
２１ｂ  ばね収容部
２２  室外側操作部材
２２Ａ，２２Ｂ  係合凹部
２２Ｃ  凹溝
２２Ｄ  軸受部
２３  裏板
２４  スプリングピン（水平軸）
２５  段付きリベット（垂直軸）
２６，２７  リベット
２７  段付きピン
２８  凸片
２８Ａ  凹部
２９Ａ  圧縮コイルばね
２９Ｂ  鋼球
３０  連結部材
３１  第１連結アーム
３２  第２連結アーム
３２Ａ，３２Ｂ  係合凹部
３３  ストッパ
３３Ａ  係合凸部
３３Ｂ  把持部
３４，３５  段付きリベット
３４Ａ  ばね座金
３６，３７  段部
３８  長孔
４０  被操作部材
４１  ブラケット
４２  段付きリベット
４２Ａ  連結ピン
【図１】
2008150780.tif 000003
【図２】
2008150780.tif 000004
【図３】
2008150780.tif 000005
【図４】
2008150780.tif 000006
【図５】
2008150780.tif 000007
【図６】
2008150780.tif 000008
【図７】
2008150780.tif 000009
【図８】
2008150780.tif 000010